(57)【要約】【課題】ユーザが所望する文字や記号（１）〜（４）を印字することによって、お守り札や絵馬のような使用方法ができ、また、ユーザの所望とは関係のない数字、文字や記号（５）の印字を組み合わせることによって、占いの要素も兼ね備えたゲームカードを提供する。【解決手段】カード媒体（１０）の少なくとも表面に、ユーザが所望する「対象」、「結果」「日付」、「氏名」を示す各表示（１）〜（４）を少なくとも印字する。また、ユーザの所望とは関係のない数字、文字や記号（５），（６）の印字を組み合わせる。【選択図】図１
2006192316.tif 000002
【特許請求の範囲】
【請求項１】
横幅が８０ｍｍ乃至９０ｍｍ、縦が５０ｍｍ乃至６０ｍｍの紙及び／又はプラスチックからなるカード媒体の少なくとも表面に、ユーザが所望する文字及び記号が印字されてなるゲームカードであって、
前記カード媒体の表面には、左上部に「対象」を示す第１の表示が印字され、右上部に前記第１の表示と矢印で結ばれた「結果」を示す第２の表示が印字され、中央に「日付」を示す第３の表示が印字され、下部に「氏名」を示す第４の表示が少なくとも印字されていることを特徴とするゲームカード。
【請求項２】
前記カード媒体の表面には、中央上部に、ユーザが所望する「記号、絵文字」、または、ユーザの所望とは関係なく決定された「記号、絵文字」を示す第５の表示が印字されていることを特徴とする請求項１記載のゲームカード。
【請求項３】
前記カード媒体の表面には、前記第２の表示よりも上部に、ユーザが所望する「数字列」、または、ユーザの所望とは関係なく決定された「数字列」を示す第６の表示が印字されていることを特徴とする請求項１、または、請求項２記載のゲームカード。
【請求項４】
前記カード媒体の裏面には、ユーザが所望する「文字列」、または、ユーザの所望とは関係なく決定された「文字列」を示す第７の表示が印字されているとともに、このカードが交通機関における乗車券ではない旨の表示を行う第８の表示が印字されていることを特徴とする請求項１乃至請求項３のいずれか一に記載のゲームカード。
【請求項５】
少なくともユーザにより入力された「対象」、「結果」、「氏名」、「日付」を前記第１乃至第４の表示とし、これら第１乃至第４の表示を含む表示を前記カード媒体に印字して、請求項１乃至請求項４のいずれか一に記載のゲームカードを作成することを特徴とするゲームカード印字装置。
【発明の詳細な説明】
【技術分野】
【０００１】
本発明は、紙等からなるカード媒体の少なくとも表面にユーザが所望する文字及び記号が印字されたゲームカード及びこのようなゲームカードを作成するゲームカード印字装置に関する。
【背景技術】
【０００２】
従来、紙やプラスチックからなるカード媒体の少なくとも表面にユーザが所望する文字及び記号を印字した種々のゲームカードが提案されている。
【０００３】
例えば、特許文献１には、携帯可能な大きさに構成され、主面側から視認可能な状態でシート状のキャラクタ担持体を保持可能に構成されたポケットが設けられているゲームカードが記載されている。
【０００４】
【特許文献１】特開２００１−５８０２０公報
【発明の開示】
【発明が解決しようとする課題】
【０００５】
従来、提案されているゲームカードは、作成者により決定された内容が印字されたものであり、その印字内容に基づいて、所定のルールに基づくゲームを行うことを目的としている。したがって、従来のゲームカードは、ユーザの所望する文字や記号を印字することによって、お守り札や絵馬のような使用方法をすることは想定されていない。
【０００６】
そこで、本発明は、上述のような実情に鑑みてなされたものであり、ユーザの所望する文字や記号を印字して持参することによって、お守り札、または、絵馬のような使用方法ができ、さらに、ユーザの所望とは関係のない文字や記号の印字を組み合わせることによって、占いの要素も兼ね備えたゲームカードを提供し、また、このようなゲームカードを作成するゲームカード印字装置を提供することを目的とする。
【課題を解決するための手段】
【０００７】
前述の課題を解決し、前記目的を達成するため、本発明に係るゲームカードは、以下のいずれか一の構成を有するものである。
【０００８】
〔構成１〕
本発明に係るゲームカードは、横幅が８０ｍｍ乃至９０ｍｍ、縦が５０ｍｍ乃至６０ｍｍの紙及び／又はプラスチックからなるカード媒体の少なくとも表面に、ユーザが所望する文字及び記号が印字されてなるゲームカードであって、カード媒体の表面には、左上部に「対象」を示す第１の表示が印字され、右上部に第１の表示と矢印で結ばれた「結果」を示す第２の表示が印字され、中央に「日付」を示す第３の表示が印字され、下部に「氏名」を示す第４の表示が少なくとも印字されていることを特徴とする。
【０００９】
〔構成２〕
本発明に係るゲームカードは、構成１を有するゲームカードにおいて、カード媒体の表面には、中央上部に、ユーザが所望する「記号、絵文字」、または、ユーザの所望とは関係なく決定された「記号、絵文字」を示す第５の表示が印字されていることを特徴とする。
【００１０】
〔構成３〕
本発明に係るゲームカードは、構成１、または、構成２を有するゲームカードにおいて、カード媒体の表面には、第２の表示よりも上部に、ユーザが所望する「数字列」、または、ユーザの所望とは関係なく決定された「数字列」を示す第６の表示が印字されていることを特徴とする。
【００１１】
〔構成４〕
本発明に係るゲームカードは、構成１乃至構成３のいずれか一を有するゲームカードカードにおいて、カード媒体の裏面には、ユーザが所望する「文字列」、または、ユーザの所望とは関係なく決定された「文字列」を示す第７の表示が印字されているとともに、このカードが交通機関における乗車券ではない旨の表示を行う第８の表示が印字されていることを特徴とする。
【００１２】
また、本発明に係るゲームカード印字装置は、以下の構成を有するものである。
【００１３】
〔構成５〕
本発明に係るゲームカード印字装置は、少なくともユーザにより入力された「対象」、「結果」、「氏名」、「日付」を第１乃至第４の表示とし、これら第１乃至第４の表示を含む表示をカード媒体に印字して、構成１乃至構成４のいずれか一を有するゲームカードを作成することを特徴とする。
【発明の効果】
【００１４】
構成１を有する本発明に係るゲームカードは、カード媒体の表面にユーザが所望する文字及び記号が印字されてなるゲームカードであって、左上部に「対象」を示す第１の表示が印字され、右上部に第１の表示と矢印で結ばれた「結果」を示す第２の表示が印字され、中央に「日付」を示す第３の表示が印字され、下部に「氏名」を示す第４の表示が少なくとも印字されているので、所望の「対象」についての所望の「結果」が所望の「日付」に達成、または、実現されるという願望を示すお守り札、または、絵馬のように使用できる。
【００１５】
構成２を有する本発明に係るゲームカードは、カード媒体の表面の中央上部に、ユーザが所望する「記号、絵文字」、または、ユーザの所望とは関係なく決定された「記号、絵文字」を示す第５の表示が印字されているので、占いの要素も兼ね備えたゲームカードとなる。
【００１６】
構成３を有する本発明に係るゲームカードは、構成１、または、構成２を有するゲームカードにおいて、カード媒体の表面には、第２の表示よりも上部に、ユーザが所望する「数字列」、または、ユーザの所望とは関係なく決定された「数字列」を示す第６の表示が印字されているので、占いの要素も兼ね備えたゲームカードとなる。
【００１７】
構成４を有する本発明に係るゲームカードは、構成１乃至構成３のいずれか一を有するゲームカードカードにおいて、カード媒体の裏面には、ユーザが所望する「文字列」、または、ユーザの所望とは関係なく決定された「文字列」を示す第７の表示が印字されているとともに、このカードが交通機関における乗車券ではない旨の表示を行う第８の表示が印字されているので、乗車券と混同されることが防止される。
【００１８】
構成５を有する本発明に係るゲームカード印字装置は、少なくともユーザにより入力された「対象」、「結果」、「氏名」、「日付」を第１乃至第４の表示とし、これら第１乃至第４の表示を含む表示をカード媒体に印字するので、構成１乃至構成４のいずれか一を有するゲームカードを作成することができる。すなわち、このゲームカード印字装置は、前述のようなゲームカードを、ユーザの入力操作後に即時に作成、発行することができるので、多種多様な願望の具体化、実現を予感させ、ユーザの心理的不安を払拭するとともに、楽しむ要素に変換し、一定の安心感を提供することができる。
【００１９】
すなわち、本発明は、ユーザの所望する文字や記号を印字して持参することによって、お守り札、または、絵馬のような使用方法ができ、さらに、ユーザの所望とは関係のない文字や記号の印字を組み合わせることによって、占いの要素も兼ね備えたゲームカードを提供し、また、このようなゲームカードを作成するゲームカード印字装置を提供することができるものである。
【発明を実施するための最良の形態】
【００２０】
以下、本発明に係るゲームカード及びゲームカード印字装置の最良の実施の形態について、図面を参照して説明する。
【００２１】
図１は、本発明に係るゲームカードの表面の構成を示す正面図である。
【００２２】
本発明に係るゲームカードは、図１に示すように、横幅が８０ｍｍ乃至９０ｍｍ、縦が５０ｍｍ乃至６０ｍｍの紙及び／又はプラスチックからなるカード媒体（１０）の少なくとも表面に、ユーザが所望する文字及び記号が印字されてなるゲームカードである。
【００２３】
カード媒体（１０）の表面には、左上部に「対象」を示す第１の表示（１）が印字され、右上部に第１の表示（１）と矢印で結ばれた「結果」を示す第２の表示（２）が印字され、中央に「日付」を示す第３の表示（３）が印字され、下部に「氏名」を示す第４の表示（４）が少なくとも印字されている。
【００２４】
これら第１乃至第４の表示（１）〜（４）は、ユーザが所望する文字及び記号である。「対象」と「結果」との組合せにより、ユーザの「願い事」が表現される。したがって、このゲームカードは、所望の「対象」についての所望の「結果」が所望の「日付」に達成、または、実現されるという願望を示すお守り札、または、絵馬のように持参して使用できる。「氏名」は、通常はユーザ自身の氏名であるが、ユーザが所望すれば、他人の氏名、または、架空の氏名としてもよい。
【００２５】
これら「対象」と「結果」との組合せによる表現は、多彩な願望に対応でき、例えば、恋愛、試験、健康、事業、商売に関するものなど、種々の願望を表現することができる。このゲームカードは、これらユーザが所望する文字及び記号により直接視角に訴え、具体的な満足感をユーザに与えることができる。なお、このゲームカードは、広告媒体としての普及を図るものではないので、広告文言を印字する部分はなくてよい。
【００２６】
なお、カード媒体（１０）の基調（背景）となる色は、例えば、ピンク色など、ユーザの嗜好に合う色を選択するようにしておくとよい。
【００２７】
また、本発明に係るゲームカードにおいては、カード媒体（１０）の表面には、中央上部に、ユーザが所望する「記号、絵文字」、または、ユーザの所望とは関係なく決定された「記号、絵文字」を示す第５の表示（５）を印字してもよい。
【００２８】
この第５の表示（５）としては、好ましくは、「お願いパス」という文字列とする。
【００２９】
この場合には、ユーザの所望とは関係なく決定された「記号、絵文字」を示す第５の表示（５）が印字されていることにより、占いの要素も兼ね備えたゲームカードとなる。
【００３０】
そして、本発明に係るゲームカードにおいては、カード媒体（１０）の表面には、第２の表示（２）よりも上部に、ユーザが所望する「数字列」、または、ユーザの所望とは関係なく決定された「数字列」を示す第６の表示（６）を印字してもよい。
【００３１】
この第６の表示（６）としては、５〜６桁程度の数字列とし、乱数表に基づいてランダムに決定されたものとすることが好ましい。
【００３２】
この場合には、ユーザの所望とは関係なく決定された「数字列」を示す第６の表示（６）が印字されていることにより、占いの要素も兼ね備えたゲームカードとなる。例えば、第６の表示（６）の数字列の全ての数字が一致していたり（例えば、「１１１１１」や「３３３３３」など）、さらに、これら数字列の全ての数字が「７」であることなどにより、第１乃至第４の表示（１）〜（４）により表現された願望の達成率が高いか低いかを予想することができる。
【００３３】
図２は、本発明に係るゲームカードの裏面の構成を示す正面図である。
【００３４】
さらに、本発明に係るゲームカードにおいては、カード媒体（１０）の裏面には、図２に示すように、ユーザが所望する「文字列」、または、ユーザの所望とは関係なく決定された「文字列」を示す第７の表示（７）が印字されているとともに、このカードが交通機関における乗車券ではない旨の表示を行う第８の表示（８）を印字してもよい。第７の表示（７）は、好ましくは、「その願いかないますように」という文字列とする。
【００３５】
また、このゲームカードが「交通機関における乗車券ではない」旨の表示を行う第８の表示（８）により、このゲームカードが乗車券と混同されることが防止される。第８の表示（８）は、好ましくは、「（注）このカードでは交通機関等は利用できません。」という文字列とする。
【００３６】
図３は、本発明に係るゲームカード印字装置の構成を示すブロック図である。
【００３７】
また、本発明に係るゲームカード印字装置は、図３に示すように、少なくともユーザにより入力部（１１）を介して入力された「対象」、「結果」、「氏名」、「日付」を第１乃至第４の表示（１）〜（４）とし、これら第１乃至第４の表示（１）〜（４）を含む表示をカード媒体（１０）に印字して、ゲームカードを作成するものである。
【００３８】
これら第１乃至第４の表示（１）〜（４）は、ユーザが所望し、入力部（１１）に対して入力操作した文字及び記号である。
【００３９】
このゲームカード印字装置においては、少なくともユーザにより入力された「対象」、「結果」、「氏名」、「日付」を第１乃至第４の表示（１）〜（４）とし、これら第１乃至第４の表示（１）〜（４）を含む表示を、印字部（１２）において、カード媒体（１０）に入力完了後に直ちに印字するので、前述したようなゲームカードを容易に作成することができる。
【００４０】
制御部（１３）は、ユーザの所望とは関係なく、「記号、絵文字」を示す第５の表示（５）、「数字列」を示す第６の表示（６）、「文字列」を示す第７の表示（７）及び「このゲームカードが交通機関における乗車券ではない」旨の表示を行う第８の表示（８）の内容を決定し、印字部（１２）において印字させる。
【００４１】
これら第５乃至第８の表示（５）〜（８）は、ユーザの所望とは関係なく決定する場合においては、予め定められた所定の文字列か、または、乱数発生手段（１４）により、乱数表に基づいてランダムに決定される。
【００４２】
このゲームカード印字装置は、前述のようなゲームカードを、ユーザの入力操作後に即時に作成、発行することができるので、多種多様な願望の具体化、実現を予感させ、ユーザの心理的不安を払拭するとともに、楽しむ要素に変換し、一定の安心感を提供することができる。
【図面の簡単な説明】
【００４３】
【図１】本発明に係るゲームカードの表面の構成を示す正面図である。
【図２】本発明に係るゲームカードの裏面の構成を示す正面図である。
【図３】本発明に係るゲームカード印字装置の構成を示すブロック図である。
【符号の説明】
【００４４】
１    第１の表示
２    第２の表示
３    第３の表示
４    第４の表示
５    第５の表示
６    第６の表示
７    第７の表示
８    第８の表示
１０    カード媒体
【図１】
2006192316.tif 000003
【図２】
2006192316.tif 000004
【図３】
2006192316.tif 000005